(57)【要約】【課題】リール帯に合わせてリールフレームの貼り合せ位置を調整できる遊技台回転リール、遊技台及び遊技台回転リールの製造方法を提供する。【解決手段】遊技に関する情報が表示されたリール帯５１４と、前記リール帯が外周に沿って巻き付けられるリールフレーム５１２及び５１６と、を備える遊技台回転リール５１０であって、前記リールフレーム５１２及び５１６は、前記リール帯５１４の長手方向の長さに合わせて、外周長さを調整する調整手段５１２ａ、５１２ｂと、を備える。【選択図】図６
2009165611.tif 000002
【特許請求の範囲】
【請求項１】
遊技に関する情報が表示されたリール帯と、
前記リール帯が外周に沿って巻き付けられるリールフレームと、
を備える遊技台回転リールであって、
前記リールフレームは、前記リール帯の長手方向の長さに合わせて、外周長さを調整する調整手段と、
を備えることを特徴とする、
遊技台回転リール。
【請求項２】
前記リールフレームは、一方の端部と他方の端部が円周方向に摺動可能に構成された円環部材であり、
前記調整手段は、前記リールフレームの前記一方の端部と前記他方の端部を円周方向に摺動させて、該リールフレームの外周長さを調整することを特徴とする、
請求項１に記載の遊技台回転リール。
【請求項３】
前記リールフレームは、円周上の一部が離間された離間部を備え、
前記調整手段は、前記リールフレームの前記離間部を円周方向に近接又は離反させて、該リールフレームの外周長さを調整することを特徴とする、
請求項１又は２に記載の遊技台回転リール。
【請求項４】
前記リールフレームの内側に配設された軸芯部材と、
前記軸芯部材と前記リールフレームを連結して支持するラジアル部材と、
前記軸芯部材の配設位置を調整する軸芯位置調整手段と、
をさらに備えることを特徴とする、
請求項１乃至３のいずれか１項に記載の遊技台回転リール。
【請求項５】
前記リールフレームは、前記リール帯の巻き付け開始位置を指示する巻着開始部をさらに備え、
前記リール帯は、前記巻着開始部を始点として前記リールフレームの所定位置に巻き付けられることを特徴とする、
請求項１乃至４のいずれか１項に記載の遊技台回転リール。
【請求項６】
遊技に関する情報が表示されたリール帯と、
前記リール帯が外周に沿って巻き付けられるリールフレームと、
を備える遊技台回転リールと、
前記遊技台回転リールを回転させる駆動手段と、
を備える遊技台であって、
前記リールフレームは、前記リール帯の長手方向の長さに合わせて外周長さを調整する調整手段と、
を備えることを特徴とする、
遊技台。
【請求項７】
前記リールフレームは、一方の端部と他方の端部が円周方向に摺動可能に構成された円環部材であり、
前記調整手段は、前記リールフレームの前記一方の端部と前記他方の端部を円周方向に摺動させて、該リールフレームの外周長さを調整することを特徴とする、
請求項６に記載の遊技台。
【請求項８】
前記リールフレームの内側に配設された軸芯部材と、
前記軸芯部材と前記リールフレームを連結して支持するラジアル部材と、
前記軸芯部材の配設位置を調整する軸芯位置調整手段と、
をさらに備えることを特徴とする、
請求項６又は７に記載の遊技台。
【請求項９】
前記リールフレームは、前記リール帯の巻き付け開始位置を指示する巻着開始部をさらに備え、
前記リール帯は、前記巻着開始部を始点として前記リールフレームの所定位置に巻き付けられることを特徴とする、
請求項６乃至８のいずれか１項に記載の遊技台。
【請求項１０】
遊技に関する情報が表示されたリール帯と、
前記リール帯が外周に沿って巻き付けられるリールフレームと、
を組み込んだ遊技台回転リールの製造方法であって、
前記リール帯の長手方向の長さに合わせて前記リールフレームの外周長さを調整する調整工程と、
を備えることを特徴とする、
遊技台回転リールの製造方法。
【請求項１１】
前記調整工程は、一方の端部と他方の端部が円周方向に摺動可能に構成された前記リールフレームを前記円周方向に摺動させて、前記リール帯の長手方向の長さに合わせて調整することを特徴とする、
請求項１０に記載の遊技台回転リールの製造方法。
【請求項１２】
前記リールフレームの内側に配設された軸芯部材と、
前記軸芯部材と前記リールフレームを連結して支持するラジアル部材と、
を組み込んだ遊技台回転リールの製造方法において、
前記軸芯部材の配設位置を調整する軸芯位置調整工程と、
をさらに備えることを特徴とする、
請求項１０又は１１に記載の遊技台回転リールの製造方法。
【請求項１３】
前記リールフレームは、前記リール帯の巻き付け開始位置を指示する巻着開始部をさらに備え、
前記リール帯を、前記巻着開始部を始点として前記リールフレームに巻き付ける巻着工程と、
を備えることを特徴とする、
請求項１０乃至１２のいずれか１項に記載の遊技台回転リールの製造方法。
【発明の詳細な説明】
【技術分野】
【０００１】
本発明はスロットマシンやパチンコ機などに代表される遊技台に関する。
【背景技術】
【０００２】
従来、複数の図柄が表示されたリールテープを円筒形状のリールドラムに係止棒にて容易に固定する遊技機用回転リールが提案されている（例えば、特許文献１参照）。
【特許文献１】特開２００７―１５１７７９号広報
【発明の開示】
【発明が解決しようとする課題】
【０００３】
しかしながら、特許文献１に開示されている発明は、リールテープをリールドラムに固定するのを容易にするだけで、例えば、リールテープは、材料、温度変化等による収縮、版ズレや相手となるリールドラムの成型加工による誤差などにより、リールドラムに沿って貼り付けた時に目論見の位置とずれてしまうという問題があった。
【０００４】
また、目論見の位置からずれてしまうと、見栄えを損ね、またあまりにも見栄えが悪い場合には、回転リールを廃却処分しなければならず、これによるコストＵＰに繋がるという問題があった。
【０００５】
そこで、本発明は、斯かる実情に鑑み、リールテープに合わせてリールドラムの貼り合せ位置を調整できる遊技台回転リール、遊技台及び遊技台回転リールの製造方法を提供しようとするものである。
【課題を解決するための手段】
【０００６】
（１）本発明は、遊技に関する情報が表示されたリール帯と、前記リール帯が外周に沿って巻き付けられるリールフレームと、を備える遊技台回転リールであって、前記リールフレームは、前記リール帯の長手方向の長さに合わせて、外周長さを調整する調整手段と、を備えることを特徴とする、遊技台回転リールである。
【０００７】
（２）本発明はまた、前記リールフレームは、一方の端部と他方の端部が円周方向に摺動可能に構成された円環部材であり、前記調整手段は、前記リールフレームの前記一方の端部と前記他方の端部を円周方向に摺動させて、該リールフレームの外周長さを調整することを特徴とする、（１）に記載の遊技台回転リールである。
【０００８】
（３）本発明はまた、前記リールフレームは、円周上の一部が離間された離間部を備え、前記調整手段は、前記リールフレームの前記離間部を円周方向に近接又は離反させて、該リールフレームの外周長さを調整することを特徴とする、（１）又は（２）に記載の遊技台回転リールである。
【０００９】
（４）本発明はまた、前記リールフレームの内側に配設された軸芯部材と、前記軸芯部材と前記リールフレームを連結して支持するラジアル部材と、前記軸芯部材の配設位置を調整する軸芯位置調整手段と、をさらに備えることを特徴とする、（１）乃至（３）のいずれかに記載の遊技台回転リールである。
【００１０】
（５）本発明はまた、前記リールフレームは、前記リール帯の巻き付け開始位置を指示する巻着開始部をさらに備え、前記リール帯は、前記巻着開始部を始点として前記リールフレームの所定位置に巻き付けられることを特徴とする、（１）乃至（４）のいずれかに記載の遊技台回転リールである。
【００１１】
（６）本発明は、遊技に関する情報が表示されたリール帯と、前記リール帯が外周に沿って巻き付けられるリールフレームと、を備える遊技台回転リールと、前記遊技台回転リールを回転させる駆動手段と、を備える遊技台であって、前記リールフレームは、前記リール帯の長手方向の長さに合わせて外周長さを調整する調整手段と、を備えることを特徴とする、遊技台である。
【００１２】
（７）本発明はまた、前記リールフレームは、一方の端部と他方の端部が円周方向に摺動可能に構成された円環部材であり、前記調整手段は、前記リールフレームの前記一方の端部と前記他方の端部を円周方向に摺動させて、該リールフレームの外周長さを調整することを特徴とする、（６）に記載の遊技台である。
【００１３】
（８）本発明はまた、前記リールフレームの内側に配設された軸芯部材と、前記軸芯部材と前記リールフレームを連結して支持するラジアル部材と、前記軸芯部材の配設位置を調整する軸芯位置調整手段と、をさらに備えることを特徴とする、（６）又は（７）に記載の遊技台である。
【００１４】
（９）本発明はまた、前記リールフレームは、前記リール帯の巻き付け開始位置を指示する巻着開始部をさらに備え、前記リール帯は、前記巻着開始部を始点として前記リールフレームの所定位置に巻き付けられることを特徴とする、（６）乃至（８）のいずれかに記載の遊技台である。
【００１５】
（１０）本発明は、遊技に関する情報が表示されたリール帯と、前記リール帯が外周に沿って巻き付けられるリールフレームと、を組み込んだ遊技台回転リールの製造方法であって、前記リール帯の長手方向の長さに合わせて前記リールフレームの外周長さを調整する調整工程と、を備えることを特徴とする、遊技台回転リールの製造方法である。
【００１６】
（１１）本発明はまた、前記調整工程は、一方の端部と他方の端部が円周方向に摺動可能に構成された前記リールフレームを前記円周方向に摺動させて、前記リール帯の長手方向の長さに合わせて調整することを特徴とする、（１０）に記載の遊技台回転リールの製造方法である。
【００１７】
（１２）本発明はまた、前記リールフレームの内側に配設された軸芯部材と、前記軸芯部材と前記リールフレームを連結して支持するラジアル部材と、を組み込んだ遊技台回転リールの製造方法において、前記軸芯部材の配設位置を調整する軸芯位置調整工程と、をさらに備えることを特徴とする、（１０）又は（１１）に記載の遊技台回転リールの製造方法である。
【００１８】
（１３）本発明はまた、前記リールフレームは、前記リール帯の巻き付け開始位置を指示する巻着開始部をさらに備え、前記リール帯を、前記巻着開始部を始点として前記リールフレームに巻き付ける巻着工程と、を備えることを特徴とする、（１０）乃至（１２）のいずれかに記載の遊技台回転リールの製造方法である。
【発明の効果】
【００１９】
本発明に係る遊技台回転リール、遊技台及び遊技台回転リールの製造方法によれば、
リールフレームとリール帯の貼り合せ位置を調整できる遊技台回転リール、遊技台及び遊技台回転リールの製造方法を提供できるという優れた効果を奏し得る。
【発明を実施するための最良の形態】
【００２０】
以下、図面を用いて、本発明の第１実施形態に係るスロットマシン１００について詳細に説明する。
＜全体構成＞
【００２１】
まず、図１を用いて、第１実施形態に係るスロットマシン１００の全体構成について説明する。なお、同図はスロットマシン１００の外観斜視図を示したものである。
【００２２】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０乃至１１２が構成されている。リール１１０乃至１１２上の図柄は、遊技者から見ると、図柄表示窓１１３から縦方向に概ね３つ表示され、合計９つの図柄が見えるようになっている。そして、各リール１１０乃至１１２を回転させることにより、遊技者から見える図柄の組み合せが変動することとなる。なお、本実施例では、３個のリールをスロットマシン１００の中央内部に備えているが、リールの数やリールの設置位置はこれに限定されるものではない。なお、リール１１０〜１１２を収容し回転可能に構成したものをリールユニット５００と言う（リールユニット５００については後で説明する）。
【００２３】
また、図柄表示窓１１３の外枠には、点滅や点灯などの点灯制御によって、後述する有効ラインや入賞ラインを報知するためのライン表示ＬＥＤ（図示省略）が配置されている。
【００２４】
さらに、スロットマシン１００内部において各々のリール１１０乃至１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０乃至１１２を停止させる。
【００２５】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００２６】
スタートランプ１２１は、リール１１０乃至１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２４は、メダルの投入が可能であることを知らせるランプである。払出枚数表示器１２５は、何らかの入賞役に入賞した結果、遊技者に払出されるメダルの枚数を表示するための表示器である。遊技回数表示器１２６は、メダル投入時のエラー表示や、ビッグボーナスゲーム中（ＢＢゲーム中）の遊技回数、所定の入賞役の入賞回数等を表示するための表示器である。貯留枚数表示器１２７は、スロットマシン１００に電子的に貯留されているメダルの枚数を表示するための表示器である。リールパネルランプ１２８は、演出用のランプである。３役告知ランプ１２９は、内部抽選において、特定の入賞役（具体的には、ビックボーナス１（ＢＢ１）、ビックボーナス２（ＢＢ２）又はレギュラーボーナス（ＲＢ））に内部当選していることを遊技者に知らせるランプである。この３役告知ランプは、３役のうち１役に内部当選している場合はその１役を表示し、３役のうち２役又は３役が同時に内部当選している場合はその２役又は３役が同時に表示される。
【００２７】
メダル投入ボタン１３０、１３１は、スロットマシン１００に電子的に貯留されているメダルを所定の枚数分投入するためのボタンである。本実施例においては、メダル投入ボタン１３０が押下される毎に１枚ずつ最大３枚まで投入され、メダル投入ボタン１３１が押下されると３枚投入されるようになっている。メダル投入口１３４は、遊技を開始するに当たって遊技者がメダルを投入するための投入口である。すなわち、メダルの投入は、メダル投入ボタン１３０又は１３１により電子的に投入することもできるし、メダル投入口１３４から実際のメダルを投入することもできる。精算ボタン１３２は、スロットマシン１００に電子的に貯留されたメダル及びベットされたメダルを精算し、メダル払出口１５５よりメダル受皿１５６に排出するためのボタンである。メダル返却ボタン１３３は、投入されたメダルが詰まった場合に押下してメダルを取り除くためのボタンである。
【００２８】
スタートレバー１３５は、遊技の開始操作を行うためのレバー型のスイッチである。即ち、メダル投入口１３４に所望する枚数のメダルを投入して、スタートレバー１３５を操作すると、これを契機としてリール１１０乃至１１２が回転し、遊技が開始される。ストップボタン１３７乃至１３９は、スタートレバー１３５の操作によって回転を開始したリール１１０乃至１１２に対する停止操作を行うためのボタンであり、各リール１１０乃至１１２に対応して設けられている。そして、いずれかのストップボタン１３７乃至１３９を操作すると対応するいずれかのリール１１０乃至１１２が停止することになる。
【００２９】
ドアキー孔１４０は、スロットマシン１００の前面扉１０２のロックを解除するためのキーを挿入する孔である。メダル払出口１５５は、メダルを払出すための払出口である。メダル受皿１５６は、メダル払出口１５５から払出されたメダルを溜めるための器である。なお、メダル受皿１５６は、本実施例では発光可能な受皿を採用している。
【００３０】
上部ランプ１５０、サイドランプ１５１、中央ランプ１５２、腰部ランプ１５３、下部ランプ１５４は、遊技を盛り上げるための装飾用のランプである。演出装置１９０は、例えば開閉自在な扉装置（シャッター）１６３が前面に取り付けられた液晶表示装置１５７を含み、この演出装置１９０には、例えば小役告知等の各種の情報が表示される。音孔１６０は、スロットマシン１００内部に設けられているスピーカの音を外部に出力するための孔である。タイトルパネル１６２には、スロットマシン１００を装飾するための図柄が描かれる。
＜制御部＞
【００３１】
次に、図２および図３を用いて、このスロットマシン１００の制御部の回路構成について詳細に説明する。
【００３２】
スロットマシン１００の制御部は、大別すると、遊技の中枢部分を制御する主制御部３００と、主制御部３００より送信されたコマンドに応じて各種機器を制御する副制御部４００と、によって構成されている。
＜主制御部＞
【００３３】
まず、図２を用いて、スロットマシン１００の主制御部３００について説明する。なお、同図は主制御部３００の回路ブロック図を示したものである。
【００３４】
主制御部３００は、主制御部３００の全体を制御するための演算処理装置であるＣＰＵ３１０や、ＣＰＵ３１０が各ＩＣや各回路と信号の送受信を行うためのデータバス及びアドレスバスを備え、その他、以下に述べる構成を有する。
【００３５】
クロック補正回路３１４は、水晶発振器３１１から発振されたクロックを分周してＣＰＵ３１０に供給する回路である。例えば、水晶発振器３１１の周波数が１２ＭＨｚの場合に、分周後のクロックは６ＭＨｚとなる。ＣＰＵ３１０は、クロック補正回路３１４により分周されたクロックをシステムクロックとして受け入れて動作する。
【００３６】
また、ＣＰＵ３１０には、センサやスイッチの状態を常時監視するためのタイマ割り込み処理の周期やモータの駆動パルスの送信周期を設定するためのタイマ回路３１５がバスを介して接続されている。ＣＰＵ３１０は、電源が投入されると、データバスを介してＲＯＭ３１２の所定エリアに格納された分周用のデータをタイマ回路３１５に送信する。タイマ回路３１５は、受信した分周用のデータを基に割り込み時間を決定し、この割り込み時間ごとに、割り込み要求をＣＰＵ３１０に送信する。ＣＰＵ３１０は、この割込み要求を契機に、各センサ等の監視や駆動パルスの送信を実行する。例えば、ＣＰＵ３１０のシステムクロックを６ＭＨｚ、タイマ回路３１５の分周値を１／２５６、ＲＯＭ３１２の分周用のデータを４４に設定した場合、この割り込みの基準時間は、２５６×４４÷６ＭＨｚ＝１．８７７ｍｓとなる。
【００３７】
さらに、ＣＰＵ３１０には、各ＩＣを制御するためのプログラム、入賞役の内部抽選時に用いる抽選データ、リールの停止位置等の各種データを記憶しているＲＯＭ３１２や、一時的なデータを保存するためのＲＡＭ３１３が接続されている。これらのＲＯＭ３１２やＲＡＭ３１３については他の記憶手段を用いてもよく、この点は後述する副制御部４００においても同様である。また、ＣＰＵ３１０には、外部の信号を受信するための入力インタフェース３６０が接続され、割込み時間ごとに入力インタフェース３６０を介して、メダル投入センサ３２０、スタートレバーセンサ３２１、ストップボタンセンサ３２２、メダル投入ボタンセンサ３２３、精算スイッチセンサ３２４、メダル払い出しセンサ３２６、電源判定回路３２７の状態を検出し、各センサを監視している。
【００３８】
メダル投入センサ３２０は、メダル投入口１３４に投入されたメダルを検出するためのセンサである。スタートレバーセンサ３２１はスタートレバー１３５の操作を検出するためのセンサである。ストップボタンセンサ３２２はストップボタン１３７乃至１３９のいずれかが押された場合、どのストップボタンが押されたかを検出するためのセンサである。メダル投入ボタンセンサ３２３はメダル投入ボタン１３０、１３１のいずれかが押下された場合、どのメダル投入ボタンが押されたかを検出するためのセンサである。精算スイッチセンサ３２４は、精算ボタン１３２に設けられており、精算ボタン１３２が一回押されると、貯留されているメダル及びベットされているメダルが精算されて払い出されることになる。メダル払い出しセンサ３２６は、払い出されるメダルを検出するためのセンサである。電源判定回路３２７は、スロットマシン１００に供給される電源の遮断を検出するための回路である。
【００３９】
ＣＰＵ３１０には、更に、入力インタフェース３６１、出力インタフェース３７０、３７１がアドレスデコード回路３５０を介してアドレスバスに接続されている。ＣＰＵ３１０は、これらのインタフェースを介して外部のデバイスと信号の送受信を行っている。入力インタフェース３６１には、インデックスセンサ３２５が接続されている。インデックスセンサ３２５は、各リール１１０乃至１１２の取付台の所定位置に設置されており、リール１１０乃至１１２に設けた遮光片がこのインデックスセンサ３２５を通過するたびにハイレベルになる。ＣＰＵ３１０は、この信号を検出すると、リールが１回転したものと判断し、リールの回転位置情報をゼロにリセットする。出力インタフェース３７０には、リールを駆動させるためのモータを制御するリールモータ駆動部３３０と、ホッパー（バケットにたまっているメダルをメダル払出口１５５から払出すための装置。）のモータを駆動するためのホッパーモータ駆動部３３１と、遊技ランプ３４０（具体的には、入賞ライン表示ランプ１２０、スタートランプ１２１、再遊技ランプ１２２、告知ランプ１２３、メダル投入ランプ１２４等）と、７セグメント（ＳＥＧ）表示器３４１（払出枚数表示器１２５、遊技情報表示器１２６、貯留枚数表示器１２７等）が接続されている。
【００４０】
また、ＣＰＵ３１０には、乱数発生回路３１７がデータバスを介して接続されている。乱数発生回路３１７は、水晶発振器３１１及び水晶発振器３１６から発振されるクロックに基づいて、一定の範囲内で値をインクリメントし、そのカウント値をＣＰＵ３１０に出力することのできるインクリメントカウンタであり、後述する入賞役の内部抽選をはじめ各種抽選処理に使用される。ＣＰＵ３１０のデータバスには、副制御部４００にコマンドを送信するための出力インタフェース３７１が接続されている。主制御部３００と副制御部４００との情報通信は一方向の通信であり、主制御部３００は副制御部４００へコマンドを送信するが、副制御部４００から主制御部３００へ何らかのコマンド等を送信することはできない。
＜副制御部＞
【００４１】
次に、図３を用いて、スロットマシン１００の副制御部４００について説明する。なお、同図は副制御部４００の回路ブロック図を示したものである。
【００４２】
副制御部４００は、主制御部３００より送信された主制御コマンド等に基づいて副制御部４００の全体を制御する演算処理装置であるＣＰＵ４１０や、ＣＰＵ４１０が各ＩＣ、各回路と信号の送受信を行うためのデータバス及びアドレスバスを備え、以下に述べる構成を有する。クロック補正回路４１４は、水晶発振器４１１から発振されたクロックを補正し、補正後のクロックをシステムクロックとしてＣＰＵ４１０に供給する回路である。
【００４３】
また、ＣＰＵ４１０にはタイマ回路４１５がバスを介して接続されている。ＣＰＵ４１０は、所定のタイミングでデータバスを介してＲＯＭ４１２の所定エリアに格納された分周用のデータをタイマ回路４１５に送信する。タイマ回路４１５は、受信した分周用のデータを基に割り込み時間を決定し、この割り込み時間ごとに、割り込み要求をＣＰＵ４１０に送信する。ＣＰＵ４１０は、この割込み要求のタイミングをもとに、各ＩＣや各回路を制御する。
【００４４】
また、ＣＰＵ４１０には、副制御部４００の全体を制御するための命令及びデータ、ライン表示ＬＥＤの点灯パターンや各種表示器を制御するためのデータが記憶されたＲＯＭ４１２や、データ等を一時的に保存するためのＲＡＭ４１３が各バスを介して接続されている。
【００４５】
さらに、ＣＰＵ４１０には、外部の信号を送受信するための入出力インタフェース４６０が接続されており、入出力インタフェース４６０には、図柄表示窓１１３の外枠に配設され、点滅や点灯などの点灯制御によって有効ラインや入賞ラインを報知するためのライン表示ＬＥＤ４２０、前面扉１０２の開閉を検出するための扉センサ４２１、ＲＡＭ４１３のデータをクリアにするためのリセットスイッチ４２２が接続されている。
【００４６】
ＣＰＵ４１０には、データバスを介して主制御部３００から主制御コマンドを受信するための入力インタフェース４６１が接続されており、入力インタフェース４６１を介して受信したコマンドに基づいて、遊技全体を盛り上げる演出処理等が実行される。また、ＣＰＵ４１０のデータバスとアドレスバスには、音源ＩＣ４８０が接続されている。音源ＩＣ４８０は、ＣＰＵ４１０からの命令に応じて音声の制御を行う。また、音源ＩＣ４８０には、音声データが記憶されたＲＯＭ４８１が接続されており、音源ＩＣ４８０は、ＲＯＭ４８１から取得した音声データをアンプ４８２で増幅させてスピーカ４８３から出力する。ＣＰＵ４１０には、主制御部３００と同様に、外部ＩＣを選択するためのアドレスデコード回路４５０が接続されており、アドレスデコード回路４５０には、主制御部３００からのコマンドを受信するための入力インタフェース４６１、時計ＩＣ４２３、７セグメント表示器４４０への信号を出力するための出力インタフェース４７２等が接続されている。
【００４７】
時計ＩＣ４２３が接続されていることで、ＣＰＵ４１０は、現在時刻を取得することが可能である。７セグメント表示器４４０は、スロットマシン１００の内部に設けられており、たとえば副制御部４００に設定された所定の情報を遊技店の係員等が確認できるようになっている。更に、出力インタフェース４７０には、デマルチプレクサ４１９が接続されている。デマルチプレクサ４１９は、出力インタフェース４７０から送信された信号を各表示部等に分配する。即ち、デマルチプレクサ４１９は、ＣＰＵ４１０から受信されたデータに応じて上部ランプ１５０、サイドランプ１５１、中央ランプ１５２、腰部ランプ１５３、下部ランプ１５４、リールパネルランプ１２８、タイトルパネルランプ１７０、払出口ストロボ１７１を制御する。タイトルパネルランプ１７０は、タイトルパネル１６２を照明するランプであり、払出口ストロボ１７１は、メダル払い出し口１５５の内側に設置されたストロボタイプのランプである。なお、ＣＰＵ４１０は、扉・液晶画面制御部４９０への信号送信は、デマルチプレクサ４１９を介して実施する。扉・液晶画面制御部４９０は、液晶表示装置１５７及び扉装置１６３を制御する制御部である。
＜図柄配列＞
【００４８】
図４は各リール１１０〜１１２に施される図柄の配列を平面的に展開して示した図である。同図に示すように、各リール１１０〜１１２には、複数種類の図柄が所定コマ数（ここでは２１コマ）だけ配置されている。コマとは１単位の図柄が配設される領域の単位である。また、配置番号とは各コマを識別するための識別子であり、各リール１１０〜１１２の回転位置はこの配置番号で管理される。なお、リール１１０〜１１２は、後述する実施例の中で回転リール５１０、５２０、５３０と言うことがあり、また、リール１１０〜１１２に施されている図柄配列が印刷されているリール帯の１つ（具体的には左回転リールのリール帯）をリール帯５１４と言うことがある。
＜入賞役の種類＞
【００４９】
本明細書における入賞役のうち、ビッグボーナス（ＢＢ１、ＢＢ２）および、レギュラーボーナス（ＲＢ）はボーナス遊技に移行する役として、また、再遊技（リプレイ）は新たにメダルを投入することなく再遊技が可能となる役として、それぞれ入賞役とは区別され「作動役」と呼ばれる場合があるが、本明細書における「入賞役」には、作動役である、ビッグボーナス、レギュラーボーナス、再遊技を含める。また、本明細書における「入賞」には、メダルの配当を伴わない（メダルの払い出しを伴わない）作動役の図柄組合せが有効ライン上に表示される場合も含まれ、例えば、ビッグボーナス、レギュラーボーナス、再遊技への入賞が含まれる。
【００５０】
スロットマシン１００の入賞役には、ビッグボーナス（ＢＢ１、ＢＢ２）と、レギュラーボーナス（ＲＢ）と、小役（ベル、スイカ、チェリー）と、再遊技（リプレイ）がある。なお、入賞役の種類は、これに限定されるものではなく、任意に採用できることは言うまでもない。
【００５１】
「ビッグボーナス（ＢＢ１、ＢＢ２）」（以下、単に、「ＢＢ」と称する場合がある）は、入賞により特別遊技であるビッグボーナス遊技（ＢＢ遊技）が開始される特別役（作動役）である。対応する図柄組合せは、ＢＢ１が「ＢＢ１図柄−ＢＢ１図柄−ＢＢ１図柄」、ＢＢ２が「ＢＢ２図柄−ＢＢ２図柄−ＢＢ２図柄」である。また、ＢＢ１、ＢＢ２についてはフラグ持越しを行う。すなわち、ＢＢ１、ＢＢ２に内部当選すると、これを示すフラグが立つ（主制御部３００のＲＡＭ３１２の所定のエリア内に記憶される）が、その遊技においてＢＢ１、ＢＢ２に入賞しなかったとしても、入賞するまで内部当選を示すフラグが立った状態が維持され、次遊技以降でもＢＢ１、ＢＢ２に内部当選中となり、ＢＢ１に対応する図柄組み合わせ「ＢＢ１図柄−ＢＢ１図柄−ＢＢ１図柄」、ＢＢ２に対応する図柄組み合わせ「ＢＢ２図柄−ＢＢ２図柄−ＢＢ２図柄」が、揃って入賞する状態にある。
【００５２】
「レギュラーボーナス（ＲＢ）」は、入賞によりレギュラーボーナス遊技（ＲＢ遊技）が開始される特殊役（作動役）である。対応する図柄組合せは、「ＲＢ図柄−ＲＢ図柄−ＲＢ図柄」である。なお、ＲＢについても上述のＢＢと同様にフラグ持越しを行う。但し、（詳細は後述するが）ビッグボーナス遊技（ＢＢ遊技）においては、レギュラーボーナス遊技（ＲＢ遊技）が内部当選することや、図柄組み合わせが入賞ライン上に表示されること、を開始条件とせずに自動的に開始させる設定としてもよい。
【００５３】
「小役（ベル図柄、スイカ図柄、チェリー図柄）」（以下、単に、「ベル」、「スイカ」、「チェリー」と称する場合がある）は、入賞により所定数のメダルが払い出される入賞役で、対応する図柄組合せは、ベルが「ベル−ベル−ベル」、スイカが「スイカ−スイカ−スイカ」、チェリーが「チェリー−ＣＨＡＮＣＥ−ＣＨＡＮＣＥ」、である。また、対応する払出枚数は同図に示す通りである。なお、「チェリー−ＣＨＡＮＣＥ−ＣＨＡＮＣＥ」の場合、左リール１１０の図柄が「チェリー」であればよく、中リール１１１と右リール１１２の図柄はどの図柄でもよい。
【００５４】
「再遊技（リプレイ）」は、入賞により次回の遊技でメダル（遊技媒体）の投入を行うことなく遊技を行うことができる入賞役（作動役）であり、メダルの払出は行われない。なお、対応する図柄組合せは、再遊技は「リプレイ図柄−リプレイ図柄−リプレイ図柄」である。
【００５５】
次に図５及び図６を用いて、スロットマシン１００のリールユニット５００について説明する。図５は、リールユニット５００の概略斜視図である。
【００５６】
リールユニット５００は、スロットマシン１００の本体１０１の略中央部に収容されており、筺体５０２により、回転リール５１０〜５３０（左回転リール５１０、中回転リール５２０、右回転リール５３０）を回転可能に収容している。なお、左回転リール５１０、中回転リール５２０、右回転リール５３０は、前述のスロットマシン１００の全体構造で説明した左リール１１０、中リール１１１、右リール１１２と同じであるが、説明の便宜上、新たな番号５１０〜５３０を付して説明する。各回転リール５１０〜５３０は、それぞれ個別のリールモータ（図示省略、以下同じ）と接続され、リールモータ駆動部３３０からの制御信号を受信した各リールモータの回転によって個別に回転、停止する。
【００５７】
次に図６（ａ）は、左回転リール５１０の概略斜視図であり、同図（ｂ）は、左回転リール５１０の分解斜視図である。
【００５８】
左回転リール５１０は、第１リールフレーム５１２、リール帯５１４、第２リールフレーム５１６、軸芯部材５１８、軸芯調整保持部材５１９を備えて構成されている。
【００５９】
第１リールフレーム５１２は、樹脂又は金属製の略リング様の円環部材である。この第１リールフレーム５１２は、円周上の一部が切断され、側面から見て、その切断部は段形状に形成されている。一方の切断部の第１段部５１２ａと他方の切断部の第２段部５１２ｂは、円周方向（同図（ｂ）の矢印Ａ又はＢ方向）に摺動移動して第１段部５１２ａに設けられた凸部（図示省略）と第２段部５１２ｂに設けられた凹部（図示省略）の係合により所定の位置で固定するように構成されている。なお、第１段部５１２ａと第２段部５１２ｂの固定位置は予め決められた位置に限定されず、組立て者の任意の位置で固定できるようにしても好ましい。
【００６０】
また、第１リールフレーム５１２の外周面上には、後で説明するリール帯５１４をこの第１リールフレームに巻き付ける際の巻き付け開始の目印となる巻き付け開始位置マーク５１２ｃが設けられている。
【００６１】
第１段部５１２ａと第２段部５１２ｂを矢印Ａ方向に移動（第１段部５１２ａと第２段部５１２ｂを接近）させると、第１リールフレーム５１２の直径が小径になる。一方、第１段部５１２ａと第２段部５１２ｂを矢印Ｂ方向に移動（第１段部５１２ａと第２段部５１２ｂを離反）させると、第１リールフレーム５１２の直径が大径となる。したがって、第１リールフレーム５１２は、第１段部５１２ａと第２段部５１２ｂを円周方向に移動させて、お互いに接近又は離反させることによってその外径を調整できる。
【００６２】
第２リールフレーム５１６は、第１リールフレーム５１２と略同様の材質、形状、構造のリング様部材であり、円周上の一部が段形状に切断された第１段部５１６ａ及び第２段部５１６ｂを形成している。また第１リールフレーム５１２と同様に、第１段部５１６ａと第２段部５１６ｂは、円周方向に摺動移動してお互いに近接又は離反し、所定の位置で固定できるように構成されている。また、第２リールフレーム５１６の外周面上には、後で説明するリール帯５１４を第２リールフレーム５１６に巻き付ける際の巻き付け開始の目印となる巻き付け開始位置マーク５１６ｃが設けられている。
【００６３】
リール帯５１４は、帯状のシール状部材であり、通常は薄い樹脂又は紙製のシール部材が使用される。また、リール帯５１４は、その表面（遊技者から見てリール帯５１４が表出する側）に、前述した所定コマ数（本実施例では、２１コマ）の図柄の配列が印刷されている。後で説明するが、リール帯５１４は、第１リールフレームと第２リールフレームの円周外縁の所定の位置に円環状に巻かれて使用される。
【００６４】
軸芯部材５１８は、中心に配設された略円盤状のリブ部材５１８ａと、そのリブ部材５１８ａから略９０°間隔で外側に伸びるように配設された４個のアーム部材５１８ｂから構成される。
【００６５】
軸芯調整保持部材５１９は、軸芯部材５１８を第１リールフレーム５１２の所定の位置に調整して固定する部材である。軸芯部材５１８は、この４個の軸芯調整保持部材５１９によって第１リールフレーム５１２に摺動移動可能に連結される。
【００６６】
図６（ａ）に示すように、軸芯部材５１８は、後で説明する組付け治具によって、矢印Ｃ、Ｄ（垂直）方向又は矢印Ｅ、Ｆ（水平）方向に摺動して固定位置が調整される。調整後、この軸芯部材５１８は、第１リールフレームの所定の位置で固定される。
【００６７】
次に、図７及び図８を用いて左回転リール５１０の組立て方法について説明する。
【００６８】
図７（ａ）は、リールフレームと組付け治具５５０の概略斜視図であり、同図（ｂ）は、左回転リール５１０の組立て方法を示した説明図である。
【００６９】
図８（ａ）は、リール帯５１４の貼り付け開始位置の説明図であり、同図（ｂ）は、リール帯５１４の貼り付け方法の説明図である。
【００７０】
初めに、図７（ａ）に示すように、第１リールフレーム５１２、第２リールフレーム５１６を組立て治具５５０の所定の位置にセットする。
【００７１】
次に、図８（ａ）に示すように、リール帯５１４の一端側を第１リールフレーム５１２に設けられている巻き付け開始位置マーク５１２ｃ及び第２リールフレーム５１６に設けられている巻き付け開始位置マーク５１６ｃに合わせて巻き付けを開始する。
【００７２】
図７（ｂ）に戻って、リール帯５１４を約４／５程巻き付けたら、最後まで巻き付けずにその位置で巻き付けを一時停止する。
【００７３】
次に、第１リールフレーム５１２の第１段部５１２ａ、第２段部５１２ｂを円周方向に摺動させることで第１リングフレーム５１２の外径（外周長さ）を伸縮させて、リール帯５１４の図柄０番（例えば、ベル図柄）と図柄２０番（例えば、チェリー図柄）のセンター間のピッチが所定寸法（本実施例では、約３５ｍｍ）になるように調整する。なお、調整する場合には、図８（ｂ）に示すように、リール帯５１４の一端側の貼り付け代ａと他端側の貼り付け代ｂの範囲内で調整する。同図（ｂ）のｃの部分は、リール帯５１４の先端側の印刷がされていない範囲を示している。
【００７４】
第２リールフレーム５１６も第１リールフレーム５１２と同様に調整する。
【００７５】
図７（ｂ）に戻って、第１リールフレーム５１２及び第２リールフレーム５１６を所定の位置に調整後、リール帯５１４を全て貼り付ける。
【００７６】
次に、第１リールフレーム５１２の所定の位置に軸芯調整保持部材５１９を固定する。この軸芯調整保持部材５１９は、リール帯５１４に施されている図柄のうちＢＢ１（リール帯５１４の巻き終わり図柄から２番目に印刷されている「７」）図柄の位置に軸芯調整保持部材５１９を１つ固定し、その位置から第１リールフレーム５１２の中心を基準として９０°間隔で合計４か所に固定するのが好ましい。なお、軸芯調整保持部材５１９の個数は４か所に限定されず、軸芯部材５１８のアーム部材５１８ｂの形状（個数）に合わせて適宜変更できることは言うまでもない。
【００７７】
軸芯調整治具（図示省略）を用いて第１リールフレーム５１２及び第２リールフレーム５１６の直径の中心を割り出し、その位置に軸芯部材５１８を配設して軸芯調整保持部材５１９に固定する。なお、軸芯調整治具（図示省略）は、左右のリールフレームの直径を測定して、その直径の中心位置を割り出し、その中心位置に軸芯部材５１８を配設する治具である。
【００７８】
この後、左回転リール５１０は、リール帯５１４の貼り付け位置、回転確認等の検査をする。
【００７９】
なお、中回転リール５２０及び右回転リール５３０は、左回転リール５１０と組み付け方法は略同じであるので、ここでは詳細な説明は省略する。
【００８０】
次に、図９を用いて、本発明に係る回転リールの第２実施形態について説明する。同図（ａ）は、第２実施形態に係る左回転リールの第１リールフレーム６１２の概略斜視図であり、同図（ｂ）は、第２実施形態に係る左回転リールの第１リールフレーム６１２の側面図である。
【００８１】
第２実施形態は、リールフレームの切断部分に離間部６１３を設けてリールフレームの外径を調整するところに特徴がある。
【００８２】
第１リールフレーム６１２は、前述の第１リールフレーム５１２に相当し、樹脂又は金属製の略リング様の円環部材である。さらに第１リールフレーム６１２は、円周上の一部が切断された離間部６１３を有する概略Ｃ形状になっている。
【００８３】
また、第１リールフレーム６１２の略中心には、軸芯部材６１８が配設され第１リールフレームと一体に連結されている。
【００８４】
離間部６１３は、一端側の第１端部６１３ａと他端側の第２端部６１３ｂの間に所定の隙間が設けられており、第１端部６１３ａと第２端部６１３ｂを近接させて（矢印Ａ方向に動かして）隙間ａを縮小させると第１リールフレーム６１２の外径は小さくなり、第１端部６１３ａと第２端部６１３ｂを離反させて（矢印Ｂ方向に動かして）隙間ａを拡大させると外径は大きくなる。
【００８５】
したがって、この離間部６１３の隙間ａを伸縮させることによって、第１リールフレーム６１２の外径を調整できる。
【００８６】
軸芯部材６１８は、材質の弾性により、第１リールフレーム６１２の調整に伴って位置が変位するように構成されている。
【００８７】
なお、第２実施形態における図示しない第２リールフレームは、上述の第１リールフレーム６１２と同様の形状である。また、第２実施形態における図示しない中回転リール、右回転リールはそれぞれ前述した中回転リール５２０、右回転リール５３０と同様の形状であり、第１リールフレーム６１２の軸芯部材（図示省略）の調整方法も同じであるので、ここでは詳細な説明は省略する。ただし、第２実施形態における中回転リール、右回転リールの図示しない第１リールフレーム及び第２リールフレームは第１リールフレーム６１２と同じ形態のものを使用し、それぞれの第２リールフレーム側には前述の第１実施形態の第２リールフレーム５１６と同様に軸芯部材を設けない構成とすることが好ましい。
【００８８】
また、図示しない各回転リールのリール帯は、第１実施形態で説明したリール帯５１４と同様の形態であるので、ここでは詳細な説明は省略する。
【００８９】
また、図示しない各回転リールの組み付け方法も第１実施形態で説明した左回転リール５１０と同じであるので、ここでは詳細な説明は省略する。
【００９０】
なお、リールフレームとリール帯の巻き付け方法は第１実施形態で説明した左回転リール５１０と同じであるので、ここでは詳細な説明は省略する。
【００９１】
本実施形態は、リールフレームの調整量が少なくて良い場合に特に有効であるが、調整量が多い場合に利用しても好ましい。
【００９２】
また、前述した第１リールフレーム６１２と軸芯部材６１８を一体成型にせず、第１リールフレーム６１２をＣ形状（第１実施形態の第１リールフレーム５１２と同じ形状）とし、その第１リールフレーム６１２と、第１実施形態で説明した軸芯部材５１８及び軸芯調整保持部材５１９を組合せた構造にしても好ましい。
【００９３】
次に、図１０を用いて、本発明に係る回転リールの第３実施形態について説明する。同図（ａ）は、第３実施形態に係る左回転リールの第１リールフレーム７１２の概略斜視図であり、同図（ｂ）は、第３実施形態に係る左回転リールの第１リールフレーム７１２の側面図である。
【００９４】
第３実施形態は、リールフレームに摺動調整部７１３を設けてリールフレームの外径を調整するところに特徴がある。
【００９５】
第１リールフレーム７１２は、前述の第１リールフレームに相当し、樹脂又は金属製で一定の弾性を持った弾性部材であり、略リング様の円環部材である。この第１リールフレーム７１２は、円周上の一部に摺動調整部７１３が設けられ、一端側には凸部７１３が形成され、他端側には凹部７１３ｂが形成されている。
【００９６】
凸部７１３ａと凹部７１３ｂは、互いに係合して円周方向に摺動可能に構成されている。
【００９７】
同図（ｂ）に示すように、凸部７１３ａと凹部７１３ｂは、通常の係合状態（第１リールフレーム７１２に円周方向の力が加わっていない場合）では隙間ａ及び隙間ｂを有している。第１リールフレーム７１２は、円周方向（矢印Ａ方向又は矢印のＢ方向）の力を受けることによって、この隙間分だけその円周方向に摺動できるようになっている。
【００９８】
凸部７１３ａと凹部７１３ｂは、円周方向の矢印Ａ方向に力を受けた場合、係合しながら摺動して近接し、結果的に第１リールフレーム７１２の外径は小径になる。
【００９９】
一方、凸部７１３ａと凹部７１３ｂは、円周方向の矢印Ｂ方向に力を受けた場合、係合しながら摺動して離反し、結果として第１リールフレーム７１２の外径は大径となる。
【０１００】
尚、第１リールフレーム７１２の外径調整は、所定の位置で凸部７１３ａ及び凹部７１３ｂを固定することで設定するが、隙間ａと隙間ｂの多少を変更することにより任意に設定するようにしても好ましい。また、隙間ａ及び隙間ｂは、同じ長さであっても良く、また、異なる長さであっても良いことは言うまでもない。
【０１０１】
したがって、凸部７１３ａと凹部７１３ｂを円周方向に摺動させることによって、第１リールフレーム７１２の外径の調整ができる。
【０１０２】
なお、本実施例では、軸芯部材、軸芯調整保持部材等は省略したが、第１実施形態で説明した軸芯部材５１８、軸芯調整保持部材５１９を用いてもよく、第２実施形態で説明したリールフレームと一体構造の軸芯部材６１８を用いても好ましい。
【０１０３】
なお、第３実施形態における図示しない第２リールフレームは、上述の第１リールフレーム７１２と同様の形状である。また、第３実施形態における図示しない中回転リール、右回転リールはそれぞれ前述した中回転リール５２０、右回転リール５３０と同様の形状であり、軸芯部材（図示省略）の調整方法も同じであるので、ここでは詳細な説明は省略する。ただし、第３実施形態における中回転リール、右回転リールの図示しない第１リールフレーム及び第２リールフレームは第１リールフレーム７１２と同じ形態のものを使用し、それぞれの第２リールフレーム側には前述の第１実施形態の第２リールフレーム５１６と同様に軸芯部材を設けない構成とすることが好ましい。
【０１０４】
また、図示しない各回転リールのリール帯は、第１実施形態で説明したリール帯５１４と同様の形態であるので、ここでは詳細な説明は省略する。
【０１０５】
また、図示しない各回転リールの組み付け方法も第１実施形態で説明した左回転リール５１０と同じであるので、ここでは詳細な説明は省略する。
【０１０６】
なお、リールフレームとリール帯の巻き付け方法は第１実施形態で説明した左回転リール５１０と同じであるので、ここでは詳細な説明は省略する。
【０１０７】
次に、図１１を用いて、本発明に係る第４実施形態について説明する。同図（ａ）は、第４実施形態に係る左回転リール８１０のリール帯を省略した概略斜視図であり、同図（ｂ）は、第４実施形態に係る左回転リール８１０の側面図である。
【０１０８】
第４実施形態は、外径が調整可能に構成され、内周面にピ二オンギアを形成したリールフレームと、そのリールフレームの外径をリールフレームの上下でガイドするリールガイドを設け、前述のピ二オンギアと噛み合うようにリールフレームの内側に配設されたリールモータにより、このリールフレームを回転させるところに特徴がある。
【０１０９】
まず、図１１（ａ）を用いて、左回転リール８１０の構成について説明する。
【０１１０】
同図（ａ）に示すように、左回転リール８１０は、第１リールフレーム８１２、第２リールフレーム８１６、リールモータ８４０、上リールガイド８５０、下リールガイド８６０、そして図示しないリール帯から構成されている。
【０１１１】
第１リールフレーム８１２は、樹脂製の略円環部材であり、その円周上の一部が切断され第１端部８１２ａ、第２端部８１２ｂが設けられている。第１端部８１２ａと第２端部８１２ｂは係合しながら摺動可能となっており、所定の位置で固定されるように構成されている。また、この第１リールフレーム８１２は、その内周面側の全周にピ二オンギア８１２ｃが設けられており、後で説明するリールモータ８４０のギア８４２と係合してリールモータ８４０の回転と同一方向に回転する。
【０１１２】
第１端部８１２ａと第２端部８１２ｂは、係合しながら円周方向に摺動し、これによって、第１リールフレーム８１２の外径を調整することができる。
【０１１３】
第２リールフレーム８１６は、樹脂製の略円環部材であり、円周上の一部が切断されて摺動可能な第１端部８１６ａ及び第２端部８１６ｂが設けられている。
【０１１４】
第２リールフレーム８１６は、第１リールフレーム８１２と同様に、第１端部８１６ａと第２端部８１６ｂが係合して円周方向に摺動することによって、外径を調整することができる。
【０１１５】
リールモータ８４０は、ステッピングモータ又はＤＣモータであり、モータシャフト先端側にギア８４２が設けられている。
【０１１６】
上リールガイド８５０は、ガイド本体８５１、レール部８５２、係合ネジ８５４から構成されている。
【０１１７】
ガイド本体８５１は、金属製の略長方形部材であり、その長手方向の両側面の２か所には、後で説明する係合ネジ８５４と係合するネジ部（図示省略）が設けられている。
【０１１８】
レール部８５２は、長手方向の全長にわたってガイド溝８５２ａが設けられた断面略コの字部材である。レール部８５２の側面には、前述したガイド本体８５１のネジ部に対応する位置に長穴８５２ｂが設けられている。レール部８５２は、ガイド本体８５１の長手方向の側面に係合し、係止ネジ８５４によりガイド本体８５１に設けられたネジ部と長穴８５２ｂが共締めされて固定される。このレール部８５２は、ガイド本体８５１の長手方向の両側面に１個ずつ係合し、第１リールフレーム８１２及び第２リールフレーム８１６が回転する際にガイドする。
【０１１９】
下リールガイド８６０は、ガイド本体８６１、レール部８６２、係合ネジ８６４から構成されている。
【０１２０】
ガイド本体８６１は、金属製の略長方形部材で長手方向の両側面の２か所には、後で説明する係合ネジ８６４と係合するネジ部（図示省略）が設けられている。
【０１２１】
レール部８６２は、長手方向の全長にわたってガイド溝８６２ａが設けられた断面略コの字部材である。レール部８６２の側面には、前述したガイド本体８６１のネジ部に対応する位置に長穴８６２ｂが設けられている。レール部８６２は、ガイド本体８６１の長手方向の側面に係合し、係止ネジ８６４によりガイド本体８６１に設けられたネジ部と長穴８６２ｂが共締めされて固定される。このレール部８６２は、ガイド本体８６１の長手方向の両側面に１個ずつ係合し、第１リールフレーム８１２及び第２リールフレーム８１６が回転する際にガイドする。
【０１２２】
次に、図１１（ａ）、（ｂ）を用いて、左回転リール８１０の構造及び動作につて説明する。
【０１２３】
第１リールフレーム８１２及び第２リールフレーム８１６は、所定の間隔（図示しないリール帯の幅長と同じ間隔）で配設され、その外形の上、下側で上リールガイド８５０及び下リールガイド８６０によってガイドされている。
【０１２４】
第１リールフレーム８１２は、第１端部８１２ａと第２端部８１２ｂを同図（ｂ）の矢印Ａ方向に摺動させると外径が小さくなり、第１端部８１２ａと第２端部８１２ｂを同図（ｂ）の矢印Ｂ方向に摺動させると外径が大きくなる。
【０１２５】
第２リールフレーム８１６は、第１リールフレーム８１２と同様に第１端部８１６ａと第２端部８１６ｂを同図（ｂ）の矢印Ａ方向に摺動させると外径が小さくなり、第１端部８１６ａと第２端部８１６ｂを同図（ｂ）の矢印Ｂ方向に摺動させると外径が大きくなる。
【０１２６】
上リールガイド８５０のレール部８５２は、長穴８５２ｂによりガイド本体８５１の上下方向に移動可能に設けられ、下リールガイド８６０のレール部８６２は、長穴８６２ｂによりガイド本体８６１の上下方向に移動可能に設けられている。したがって、レール部８５２とレール部８６２の間隔は、第１リールフレーム８１２、第２リールフレーム８１６の外径に応じて調整することができる。調整後、レール部８５２は、係止ネジ８５４によりガイド本体８５１に固定され、レール部８６２は、係止ネジ８６４によりガイド本体８６１に固定される。
【０１２７】
リールモータ８４０は、第１リールフレーム８１２と第２リールフレーム８１６の内部に配設され、このリールモータ８４０のモータシャフト先端側に設けられたギア８４２と、第１リールフレーム８１２の内側に設けられたピ二オンギア８１２ａが係合する。
【０１２８】
したがって、図１１（ｂ）に示すようにリールモータ８４０が、矢印Ｃ方向に回転した場合、リールは矢印Ｅ方向に回転し、リールモータ８４０が、矢印Ｄ方向に回転した場合、リールは、矢印Ｆ方向に回転する。
【０１２９】
本実施例のように、リールモータ８４０をリール内部に設けることによって、回転リール８１０の薄型化することができるという効果がある。
【０１３０】
また、上リールガイド８５０及び下リールガイド８６０を設けることによって、リールフレームの外径に応じてリールフレームが真円になるように容易に調整することができ、第１実施形態等で説明したような、軸芯部材５１８や軸芯調整保持部材５１９等を設ける必要がなく、手間のかかる軸芯部材５１８等の調整作業を省略できるという効果がある。
【０１３１】
なお、本実施例では、軸芯部材、軸芯調整保持部材等は省略したが、第２リールフレーム８１６には、第１実施形態で説明した軸芯部材５１８、軸芯調整保持部材５１９を用いてもよく、又は第２実施形態で説明したリールフレームと一体構造の軸芯部材６１８を用いても好ましい。
【０１３２】
また、図示しない中回転リール、右回転リールは、本実施例の左回転リール８１０と材質、形状、調整構造は同じであるので、ここでは詳細な説明は省略する。
【０１３３】
また、図示しない各回転リールのリール帯は、第１実施形態で説明したリール帯５１４と同様の形態でるので、ここでは詳細な説明は省略する。
【０１３４】
また、リールフレームとリール帯の巻き付け方法は第１実施形態で説明した左回転リール５１０と同じであるので、ここでは詳細な説明は省略する。
【０１３５】
次に、図１２を用いて、本発明に係る第５実施形態について説明する。同図は、第５実施形態に係る左回転リール９１０の第１リールフレーム９１２の側面図である。
【０１３６】
第５実施形態は、軸芯部材９１８と軸芯調整部材９１９が左右上下方向に摺動することによって軸芯を調整するところに特徴がある。
【０１３７】
同図に示すように、左回転リール９１０は、第１リールフレーム９１２、係止ネジ９１７、軸芯部材９１８、軸芯調整保持部材９１９、並びに図示しない第２リールフレーム、リール帯から構成される。
【０１３８】
第１リールフレーム９１２は、前述した第２リールフレーム６１２と同様の形状を有する円環部材であり、その円周上の一部が切断された離間部９１３が設けられている。離間部９１３は、一端側は第１端部９１３ａ、他端側は第２端部９１３ｂが設けられており、この第１端部９１３ａと第２端部９１３ｂが近接又は離反することにより、第１リールフレームの外径が調整される。すなわち、第１端部９１３ａと第２端部９１３ｂが近接（同図矢印Ａ方向）した場合、第１リールフレーム９１２の外径は小さくなり、第１端部９１３ａと第２端部９１３ｂが離反（同図矢印Ｂ方向）した場合、その外径は大きくなる。なお、リールフレームに離間部９１３を設けず、第１実施形態又は第３実施形態と同様の摺動形態にしても好ましい。
【０１３９】
軸芯調整保持部材９１９は、第１リールフレーム９１２の内側に向かって略９０°間隔に一体に形成されて設けられている。この軸芯調整保持部材９１９は、その先端は自由端となっており、先端近傍の長手方向に長穴９１９ａが設けられている。
【０１４０】
軸芯部材９１８は、略円盤状部材であり、前述の軸芯調整保持部材９１９の長穴９１９ａに対応するネジ部を９０°間隔で４か所設けられている。
【０１４１】
この軸芯部材９１８は、係止ネジ９１７によって軸芯調整保持部材９１９と係合して第１リールフレーム９１２に連結されるが、軸芯調整保持部材９１９側の穴が長穴９１９ａになっている分だけ、上下方向（矢印Ｅ、Ｆ方向）及び左右方向（矢印Ｃ、Ｄ方向）に移動可能になっている。なお、軸芯部材９１８は、図示しない軸芯調整治具により第１リールフレーム９１２の中心に位置するように調整される。
【０１４２】
したがって、第１リールフレーム９１２と軸芯調整保持部材９１９を一体成型にすることができ、回転リール９１０の部品点数を減らすことが出来るという効果がある。
【０１４３】
また、軸芯部材９１８の調整が容易にできるという効果がある。
【０１４４】
なお、第５実施形態における図示しない第２リールフレームは、上述の第１リールフレーム９１２と同様の形状である。また、第５実施形態における図示しない中回転リール、右回転リールはそれぞれ前述した中回転リール５２０、右回転リール５３０と同様の形状であり、軸芯部材（図示省略）の調整方法も同じであるので、ここでは詳細な説明は省略する。ただし、第５実施形態における中回転リール、右回転リールの図示しない第１リールフレーム及び第２リールフレームは前述の第１リールフレーム９１２と同じ形態のものを使用し、それぞれの第２リールフレーム側には第１実施形態の第２リールフレーム５１６と同様に軸芯部材を設けない構成とすることが好ましい。
【０１４５】
また、図示しない各回転リールのリール帯は、第１実施形態で説明したリール帯５１４と同様の形態であるので、ここでは詳細な説明は省略する。
【０１４６】
なお、リールフレームとリール帯の巻き付け方法は第１実施形態で説明した左回転リール５１０と同じであるので、ここでは詳細な説明は省略する。
【０１４７】
図１３は、第６実施形態に係る左回転リール１０１０のリール帯を省略した概略斜視図である。第１実施形態乃至第５実施形態にかかるリールフレームは、図１３に示すように、第１リールフレーム１０１２と第２リールフレーム１０１６を連結部材１０１７で連結した形状（一体化）としても好ましく、このように一体化することによって、回転リールの組立てが簡素化できる。
【０１４８】
同図に示すように、第１リールフレーム１０１２の円周上の一部を切断し、第１端部１０１２ａ及び第２端部１０１２ｂを設け、また第２リールフレーム１０１６の円周上の一部を切断し、第１端部１０１６ａ及び第２端部１０１６ｂを設けて、各第１端部第２端部を近接又は離反することによって、リールフレームの外径を調整する。
【０１４９】
また、軸芯部材１０１８は、軸芯調整保持部材１０１９により上下方向及び左右方向に調整された後、第１リールフレーム１０１２と連結される。調整方法等は、第１実施形態で説明した左回転リール５１０と同じであり、ここでは詳細な説明は省略する。
【０１５０】
なお、図示しない中回転リール、右回転リールは、本実施例の左回転リール１０１０と材質、形状、調整構造は同じであるので、ここでは詳細な説明は省略する。
【０１５１】
また、図示しない各回転リールのリール帯は、第１実施形態で説明したリール帯５１４と同様の形態であるので、ここでは詳細な説明は省略する。
【０１５２】
また、リールフレームとリール帯の巻き付け方法は第１実施形態で説明した左回転リール５１０と同じであるので、ここでは詳細な説明は省略する。
【０１５３】
なお、第４実施形態を除く第１実施形態乃至第６実施形態で説明した軸芯部材又は軸芯調整部材は、９０°間隔で設けられた４本のアームがリールフレームと連結（又は一体成型）された例であったが、アームは４本に限らず３本又はその他の本数でも良いことは言うまでもない。
【０１５４】
また、第１実施形態、第３実施形態又は第４実施形態で説明した第１リールフレームと第２リールフレームは共通の部材を使用しても好ましい。
【０１５５】
また、第１実施形態乃至第６実施形態において、リール帯を第１リールフレーム及び第２リールフレームに貼り付ける際の貼り付けの目印は、リール帯、リールフレーム等に△等のマークや目印線など貼り付け時の目印になるものであれば良く、上記実施例に限定されないことは言うまでもない。
【０１５６】
また、第１リールフレーム、第２リールフレームの外形形状は、三角形や四角形等にしても良く、上記実施例の円環形状に限定されないことは言うまでもない。
【０１５７】
本発明は、遊技に関する情報が表示されたリール帯５１４と、前記リール帯５１４が外周に沿って巻き付けられるリールフレーム５１２と、を備える遊技台回転リール５１０であって、前記リールフレーム５１２は、前記リール帯５１４の長手方向の長さに合わせて、外周長さを調整する調整手段と、を備えているので、不良率の低減、コストの削減、環境への配慮ができるという効果がある。
【０１５８】
また、前記リールフレーム５１２は、一方の端部５１２ａと他方の端部５１２ｂが円周方向に摺動可能に構成された円環部材であり、前記調整手段は、前記リールフレーム５１２の前記一方の端部５１２ａと前記他方の端部５１２ｂを円周方向に摺動させて、該リールフレーム５１２の外周長さを調整できるので、不良率の低減、コストの削減、環境への配慮ができるのに加えて、さらに摺動により安定した追従調整ができるという効果がある。
【０１５９】
また、前記リールフレーム６１２は、円周上の一部が離間された離間部６１３を備え、前記調整手段は、前記リールフレーム６１２の前記離間部６１３を円周方向に近接又は離反させて、該リールフレーム６１２の外周長さを調整できるので、コストを賭けずに簡素な構造で追従調整が出来るという効果がある。
【０１６０】
また、前記リールフレーム９１２の内側に配設された軸芯部材９１８と、前記軸芯部材９１８と前記リールフレーム９１２を連結して支持するラジアル部材９１９と、前記軸芯部材９１８の配設位置を調整する軸芯位置調整手段と、をさらに備えているので、安定した回転となり、回転時の見栄え向上、モータへの負担軽減で故障率を低減できるという効果がある。
【０１６１】
また、前記リールフレーム５１２は、前記リール帯５１４の巻き付け開始位置を指示する巻着開始部５１２ｃをさらに備え、前記リール帯５１４は、前記巻着開始部５１２ｃを始点として前記リールフレーム５１２の所定位置に巻き付けられるので、作業性の向上、不良率が低減するという効果がある。
【０１６２】
また、遊技に関する情報が表示されたリール帯５１４と、前記リール帯５１４が外周に沿って巻き付けられるリールフレーム５１２と、を備える遊技台回転リール５１０と、前記遊技台回転リール５１０を回転させる駆動手段と、を備える遊技台であって、前記リールフレーム５１２は、前記リール帯５１４の長手方向の長さに合わせて外周長さを調整する調整手段と、を備えているので、不良率の低減、コストの削減、環境への配慮ができるという効果がある。
【０１６３】
また、前記リールフレーム５１２は、一方の端部５１２ａと他方の端部５１２ｂが円周方向に摺動可能に構成された円環部材であり、前記調整手段は、前記リールフレーム５１２の前記一方の端部５１２ａと前記他方の端部５１２ｂを円周方向に摺動させて、該リールフレーム５１２の外周長さを調整できるので、不良率の低減、コストの削減、環境への配慮ができるのに加えて、さらに摺動により安定した追従調整ができるという効果がある。
【０１６４】
また、前記リールフレーム５１２の内側に配設された軸芯部材５１８と、この軸芯部材５１８と前記リールフレーム５１２を連結して支持するラジアル部材５１８ｂと、前記軸芯部材５１８の配設位置を調整する軸芯位置調整手段５１９と、をさらに備えているので、安定した回転となり、回転時の見栄え向上、モータへの負担軽減で故障率を低減できるという効果がある。
【０１６５】
また、前記リールフレーム５１２は、前記リール帯５１４の巻き付け開始位置を指示する巻着開始部５１２ｃをさらに備え、前記リール帯５１４は、前記巻着開始部５１２ｃを始点として前記リールフレーム５１２の所定位置に巻き付けられるので、作業性の向上、不良率が低減するという効果がある。
【０１６６】
また、遊技に関する情報が表示されたリール帯５１４と、前記リール帯５１４が外周に沿って巻き付けられるリールフレーム５１２と、を組み込んだ遊技台回転リール５１０の製造方法であって、前記リール帯５１４の長手方向の長さに合わせて前記リールフレーム５１２の外周長さを調整する調整工程と、を備えているので、不良率の低減、コストの削減、環境への配慮ができるという効果がある。
【０１６７】
また、前記調整工程は、一方の端部５１２ａと他方の端部５１２ｂが円周方向に摺動可能に構成された前記リールフレーム５１２を前記円周方向に摺動させて、前記リール帯５１４の長手方向の長さに合わせて調整できるので、不良率の低減、コストの削減、環境への配慮ができるのに加えて、さらに摺動により安定した追従調整ができるという効果がある。
【０１６８】
また、前記リールフレーム９１２の内側に配設された軸芯部材９１８と、前記軸芯部材９１８と前記リールフレーム９１２を連結して支持するラジアル部材９１９と、を組み込んだ遊技台回転リールの製造方法において、前記軸芯部材９１８の配設位置を調整する軸芯位置調整工程と、をさらに備えているので、安定した回転となり、回転時の見栄え向上、モータへの負担軽減で故障率を低減できるという効果がある。
【０１６９】
また、前記リールフレーム５１２は、前記リール帯５１４の巻き付け開始位置を指示する巻着開始部５１２ｃをさらに備え、前記リール帯５１４を、前記巻着開始部５１２ｃを始点として前記リールフレーム５１２に巻き付ける巻着工程と、を備えているので、作業性の向上、不良率が低減するという効果がある。
【産業上の利用可能性】
【０１７０】
本発明は、スロットマシンやパチンコ等に代表される遊技台に適用することができる。
【図面の簡単な説明】
【０１７１】
【図１】本発明の第１実施形態に係るスロットマシン１００の概略斜視図である。
【図２】同スロットマシンの主制御部３００の回路構成を示した図である。
【図３】同スロットマシンの副制御部４００の回路構成を示した図である。
【図４】各リール１１０〜１１２に施される図柄の配列を平面的に展開して示した図である。
【図５】リールユニット５００の概略斜視図である。
【図６】（ａ）左回転リール５１０の概略斜視図であり、（ｂ）左回転リール５１０の分解斜視図である。
【図７】（ａ）リールフレームと組付け治具５５０の概略斜視図であり、（ｂ）左回転リール５１０の組立て方法を示した概略説明図である。
【図８】（ａ）リール帯５１４の貼り付け位置の説明図であり、（ｂ）リール帯５１４の貼り付け方法の説明図である。
【図９】（ａ）第２実施形態に係る左回転リールの第１リールフレーム６１２の概略斜視図であり、（ｂ）第２実施形態に係る左回転リールの第１リールフレーム６１２の側面図である。
【図１０】（ａ）第３実施形態に係る左回転リールの第１リールフレーム７１２の概略斜視図であり、（ｂ）第３実施形態に係る左回転リールの第１リールフレーム７１２の側面図である。
【図１１】（ａ）第４実施形態に係る左回転リール８１０のリール帯を省略した概略斜視図であり、（ｂ）第４実施形態に係る左回転リール８１０の側面図である。
【図１２】第５実施形態に係る左回転リール９１０の第１リールフレーム９１２の側面図である。
【図１３】第６実施形態に係る左回転リール１０１０のリール帯を省略した概略斜視図である。
【符号の説明】
【０１７２】
１００  スロットマシン
１１０〜１１２  リール
３００  主制御部
４００  副制御部
５００  リールユニット
５１０  左回転リール
５１２  第１リールフレーム
５１４  リール帯
５１６  第２リールフレーム
５１８  軸芯部材
５１９  軸芯調整保持部材
５２０  中回転リール
５３０  右回転リール
【図１】
2009165611.tif 000003
【図２】
2009165611.tif 000004
【図３】
2009165611.tif 000005
【図４】
2009165611.tif 000006
【図５】
2009165611.tif 000007
【図６】
2009165611.tif 000008
【図７】
2009165611.tif 000009
【図８】
2009165611.tif 000010
【図９】
2009165611.tif 000011
【図１０】
2009165611.tif 000012
【図１１】
2009165611.tif 000013
【図１２】
2009165611.tif 000014
【図１３】
2009165611.tif 000015